(57)【特許請求の範囲】
【請求項１】
複数の通信ネットワークを介して伝送される番組を受信可能な受信装置であって、
前記複数の通信ネットワークのうちの一から前記番組を受信する受信手段と、
前記受信手段により受信される前記番組の予約に関する操作を行うために複数の前記番組を表示している予約番組一覧表であって、前記番組がそれぞれ属する前記通信ネットワークを識別するためのロゴ又はタイトルを前記番組毎に表示する前記予約番組一覧表を表示するように制御する予約番組一覧表表示制御手段と
を備えることを特徴とする受信装置。
【請求項２】
前記通信ネットワークは、衛星放送波、地上放送波、ケーブルテレビ放送波のいずれかであることを特徴とする、請求項１に記載の受信装置。
【請求項３】
前記通信ネットワークは、複数のチャンネルで前記番組を伝送するものであり、
前記予約番組一覧表表示制御手段は、前記通信ネットワークを識別するためのロゴ又はタイトルと共に、前記番組の各々に対応する前記チャンネルを識別するためのチャンネルロゴ又はチャンネル番号を前記番組毎に前記予約番組一覧表に表示するように制御することを特徴とする、請求項１に記載の受信装置。
【発明の詳細な説明】
【０００１】
【発明の属する技術分野】
本発明は、放送事業者の識別表示部の表示装置と放送事業者の識別表示部の表示方法に関するものである。
【０００２】
【従来の技術】
近年、放送衛星、通信衛星などの人工衛星を介してテレビジョン放送信号（放送波）をデジタル化して伝送し、各家庭において、これを受信するシステムが運用されている。このシステムにおいては、例えば、多数のチャンネルを確保する事が可能であるため、極めて多くの種類の番組を放送することができる。
このようなシステムにおいては、伝送可能な番組の数が増えるため、所望の番組を選択するための電子番組ガイド（ＥＰＧ：Ｅｌｅｃｔｒｏｎｉｃ  Ｐｒｏｇｒａｍ  Ｇｕｉｄｅ）を番組とともに伝送し、これをモニタ装置において表示し、ユーザ（視聴者）は表示された電子番組ガイドを用いて、所望の番組を迅速確実に選択することが可能である。ユーザが、ディスプレイ上でＧＵＩ（Ｇｒａｐｈｉｃａｌ  Ｕｓｅｒ  Ｉｎｔｅｒｆａｃｅ）を用いて、表示された電子番組ガイドに従って、所望の番組を迅速かつ適格に把握し、選択できるようにすることが出来る。
【０００３】
電子機器として、例えばテレビジョンセット（テレビジョン受像機）は、より多機能化を図るために、多種類の番組内容やあるいは通信ネットワークを用いたマルチメディア機能を表示するなどの多機能化の要求が高まってきている。
放送波を介して放送内容を供給する方式として、衛星放送が用いられているが、たとえばＣＳ放送（Ｃｏｍｍｕｎｉｃａｔｉｏｎ  Ｓａｔｅｌｌｉｔｅ：通信衛星）やＢＳ放送（Ｂｒｏａｄｃａｓｔｉｎｇ  Ｓａｔｅｌｌｉｔｅ，放送衛星）などは、デジタル化されており、複数の放送事業者により運営されたりあるいは多チャンネル化が起こっている。
ユーザ（使用者）にとっては、複数の放送事業者間をまたがっても１つの受信機で放送サービスを受信できる方が、次のような点でユーザに取っては利点が多い。
ユーザが見たいときに見たい番組を見ることができる様になり、受信機をその都度切り替える必要もなくなり、受信機を何台も設置する必要がなくなる。
【０００４】
【発明が解決しようとする課題】
一方問題も出てくる。従来、そのような統合型受信機において、サービス（事業者、ネットワーク）を切り換えたときにはそのサービスのロゴを表示するようにはなっている。
しかし、従来では、既にサービスを切り換えてしばらく同じサービス状態にしていて、ユーザが忘れたころにＥＰＧやメニューなどを表示したときに、表示されている情報がどちらのサービス事業者（ネットワーク）のものであるかは表示されていなかった。あるいは、事業者間をまたがって情報を表示していてもそれがどちらの事業者のものであるかを表示していなかった。
【０００５】
ユーザがその状態で（同一受信機で複数事業者のサービスを操作していると）現在どちらの事業者の番組を視聴しているのか、どちらの事業者向けの設定をしているのかが分からなくなってしまうことがある。あるいは、ユーザが番組表などを利用して、ある番組を探してもなかなか見つからず不安を覚えたりするが、実は違う事業者側の情報しか表示していない番組表になっていたりすることがある。
さらには、予約録画の設定をしても実際の時間になってＩＣカード（集積回路を有するカード）に購入操作が行われて初めてその事業者のその番組は契約上購入できなかったりすることがある。その目安になる事業者ロゴ表示などの情報がない場合に、ユーザは操作をしていてとても不安や不便を感じることになっていた。
【０００６】
そこで本発明は上記課題を解消し、どのような放送内容のデータを表示する場合であっても、通信ネットワークを識別するためのロゴ又はタイトルを表示することで、ユーザの操作に安心感を与えることができる受信装置を提供することを目的としている。
【０００７】
【課題を解決するための手段】
上記目的は、本発明にあっては、複数の通信ネットワークを介して伝送される番組を受信する受信装置であって、前記複数の通信ネットワークのうちの一から前記番組を受信する受信手段と、前記受信手段により受信される前記番組の予約に関する操作を行うために複数の前記番組を表示している予約番組一覧表であって、前記番組がそれぞれ属する前記通信ネットワークを識別するためのロゴ又はタイトルを前記番組毎に表示する前記予約番組一覧表を表示するように制御する予約番組一覧表表示制御手段とを備えることを特徴とする受信装置により、達成される。
【０００８】
本発明においては、番組の予約に関する操作を行うための予約番組一覧表を表示する際に、番組名と通信ネットワークを識別するためのロゴ又はタイトルを列挙表示する。これにより、ユーザにとっては、番組がどの通信ネットワークに属しているかを認知させる機会が増えて、ユーザの操作などに安心感を与えることができる。
【０００９】
本発明においては、好ましくは放送内容のデータは、現在放送されている番組を表す現在番組表である。本発明においては、好ましくは放送内容のデータは、所定の期間内の番組を表す所定期間番組表である。本発明において、好ましくは放送内容のデータは、番組を予約操作をするための番組予約欄である。放送内容のデータは、好ましくは番組の予約を行うために複数の番組を表示している予約番組一覧表である。
【００１１】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１２】
図１と図２は、本発明の番組内容に関する表示装置の好ましい実施の形態を含む視聴用の電子機器１０を示している。
電子機器１０は、概略的にはパラボラアンテナ３、番組内容に関する表示装置１００などを有しており、表示装置１００は、表示手段であるモニタ装置４、ＩＲＤ（Ｉｎｔｅｇｒａｔｅｄ  Ｒｅｃｅｉｖｅｒ／Ｄｅｃｏｄｅｒ）２、リモートコマンダ５を有している。ＩＲＤ２とリモートコマンダ５は制御手段７０を構成する。
【００１３】
モニタ装置４は、例えば陰極線管（ＣＲＴ）を備える表示装置である。しかしこのモニタ装置４は、陰極線管を備える表示装置に限らず、液晶表示装置やプラズマディスプレイディバイスあるいはその他の種類の表示装置を採用することも勿論可能である。
電子機器１０は、例えばデジタル衛星放送システムの一部を構成しており、パラボラアンテナ３は、コンテンツ供給源（たとえば放送事業者、受託放送事業者）１３０のパラボラアンテナ１３０Ｃから伝送された放送波ＢＣを、衛星１３０Ｄのトランスポンダー１３０Ｅを介してパラボラアンテナ３に受信できるようになっている。パラボラアンテナ３で受信された受信信号ＲＳは、ＩＲＤ２に供給される。
【００１４】
リモートコマンダ５は、ＩＲＤ２に対するユーザの操作入力部としての役割を果たしており、例えば赤外線（ＩＲ：Ｉｎｆｒａｒｅｄ）信号によりＩＲＤ２に対して各種の指令を与えることができる。ユーザがリモートコマンダ５の後で述べるキー群の内の任意のキーを押すことにより、そのキーの機能に対応する赤外線信号ＩＲがＩＲ発信部５１から出て、ＩＲＤ２のＩＲ受信部３９で受信できる。ＩＲＤ２は、モニタ装置４に対してライン１１により電気的に接続されている。モニタ装置４は画面４Ａを有している。
【００１５】
次に、図３を参照して図１のリモートコマンダ５について説明する。リモートコマンダ５は、図３に示すような各種操作キーを有しており、テレビ電源キー５Ａ、主電源キー５Ｂ、チャンネル選択キー５Ｃ、テンキー部５Ｄ、ＥＰＧキー５Ｅ、現在番組表キー５Ｆ、週間番組表キー５Ｇ、日付キー５Ｈ、ジャンルキー５Ｉ、音量キー５Ｊ、チャンネルキー５Ｋ、その他番組説明キー５Ｌ、ラジオキー５Ｍ、メニューキー５Ｔなどを有している。
【００１６】
図４と図５を参照して、図１〜図３に示すリモートコマンダ（操作入力部）５、本体キー（操作入力部）４Ｃ、ＩＲＤ２などの構成例について説明する。
ＩＲＤ２は、放送波ＢＣの受信信号ＲＳを受け取るためのチューニング部４０を有している。このチューニング４０部は、放送波ＢＣ（受信信号ＲＳ）としては、例えばケーブルテレビ放送波（ＣＡＴＶ）、地上放送波、衛星放送波などを受けることができる。チューニング部４０は、内部制御コンピュータ４２、番組情報抽出部４４に接続されている。番組情報抽出部４４は映像信号再生部４６と音声信号再生部４８に接続されており、映像信号再生部４６は映像ミックス部５０を介してモニタ装置４に対して接続されている。音声信号再生部４８は、モニタ装置４のスピーカ４Ｓに対して接続されている。
内部制御コンピュータ４２は、管面表示信号作成部５２に接続されており、管面表示信号作成部５２は、映像ミックス部５０に接続されている。
【００１７】
チューニング部４０は、上述したように放送波ＢＣの受信信号ＲＳを受信するが、チューニング部４０は、内部制御コンピュータ（マイクロコンピュータ）４２の指令により、ＣＡＴＶ、地上放送波、衛星放送波のいずれであるかに応じて受信信号ＲＳのチューニングの制御を行う。
番組情報抽出部４４は、チューニング部４０から与えられる受信信号ＲＳの中の番組データ（チューニング信号ＴＳ）ＰＤの中から、番組情報抽出信号ＩＤに基いて番組情報信号ＩＥを抽出する。この番組情報信号ＩＥは、映像や音声の情報データを有しているので、映像信号再生部４６はこの中の映像信号を再生して映像信号ＩＳを映像ミックス部５０に供給する。音声信号再生部４８は番組情報信号ＩＥの中から音声信号ＡＳを再生して、モニタ装置の例えばスピーカ４Ｓに対して音声出力が出せるように供給する。
【００１８】
映像ミックス部５０は、映像信号ＩＳが供給されるとともに、管面表示信号作成部５２からの管面表示信号ＤＳを供給する。この管面表示信号作成部５２は、内部制御コンピュータ４２からデータＤＳＳを受け取って、表示画面作成用の各種データを管面表示作成信号ＤＳとして作成して、この管面表示作成信号ＤＳを映像信号ＩＳに対して映像ミックス部５０によりミックスする。
映像ミックス部５０は、このように管面表示信号ＤＳと映像信号ＩＳをミックスした映像出力ＩＯをモニタ装置４に対して供給することができる。内部制御コンピュータ４２からの指令に基づいて、管面表示信号作成部５２が作成する管面表示作成信号ＤＳのみでなく、モニタ装置４の画面４Ａにおける表示のオンオフの制御も、内部制御コンピュータ４２が管面表示信号作成部５２に指令を与えることで行うことができる。
【００１９】
また番組情報抽出部４４から内部制御コンピュータ４２に送られた番組情報抽出信号ＩＤをＥＰＧのためのデータベースとする。
内部制御コンピュータ４２は、図１と図２に示すリモートコマンダ５からの指令あるいは図１に示すモニタ装置４の本体キー４Ｃからのユーザの指令による操作入力の内容と、番組データＰＤ及び番組情報信号ＩＥなどに基づいて、内部制御コンピュータ４２が例えば図６に示すような管面表示用の電子番組表等を図１に示す画面４Ａに表示することができる。
【００２０】
図５は、図４の内部制御コンピュータ４２の内部構成例を示しており、ＣＰＵ（中央演算処理部）６０は、制御プログラム６２を取り込むことができ、またＣＰＵ６０はデータ６３との情報のやり取りを行うことができる。またＣＰＵ６０は入出力部６４と接続されている。
入出力部６４は、本体キー４Ｃあるいはリモートコマンダ５からの操作信号ＯＰを受け取ることができる。入出力部６４はチューニング部４０との間で番組データＰＤを含むチューニング信号ＴＳをやり取りできる。入出力部６４は、番組情報抽出部４４との間で、番組情報抽出信号ＩＤをやり取りできる。入出力部６４は管面表示信号作成部５２に対してデータＤＳＳを供給する。
【００２１】
図５の制御プログラム６２は、操作入力部である本体キー４Ｃあるいはリモートコマンダ５からの操作入力により制御するための操作入力制御、チューニング部４０に関するチューニング制御、番組情報抽出部４４における番組情報抽出制御、管面表示信号作成部５２に対応する管面表示用データ作成、管面表示信号作成制御などの制御プログラムを含んでいる。データ６３は、ＥＰＧデータベースや管面表示用のデータＤＳＳなどを含んでいる。図４に示す本体入力部である本体キー４Ｃあるいはリモートコマンダ５と、ＩＲＤ２は、後で説明する現在放送中の番組のタイトルを示す現在番組表等を選択的に選択して図１のモニタ装置４の画面４Ａに表示し、しかもどの表示画面においても通信ネットワークを識別するためのロゴ又はタイトルを表示するための制御手段７０を構成している。
【００２２】
次に、図６を参照して、図１のモニタ装置４の画面４Ａに表示できる現在番組表（現在番組ガイド）ＰＰの一例について説明する。
現在番組表ＰＰは、画面４Ａの中に表示されており、しかも画面４Ａには、現在受信している番組８０が表示されている。現在番組表ＰＰは現在受信している番組８０にスーパーインポーズして表示されている。しかも現在番組表ＰＰを受信している番組８０に重ねて表示する場合には、現在番組表ＰＰは半透明に透かして形成してあるので、受信している番組８０を現在番組表ＰＰを通して視聴者がある程度見えるようになっている。つまり現在番組表ＰＰは受信している番組８０に対して半透明状態でスーパーインポーズしている。
現在番組表ＰＰは、現在放送中の番組名と放送時間などを見る機能を有しており、ユーザはこの一覧表から所望の番組を選局することができる。現在番組表ＰＰは図３の現在番組表キー（ボタン）５Ｆを押すことで表示できる。
【００２３】
現在番組表ＰＰは、概略的には以下の５つの部分に区分けされている。
（１）番組情報部８１
番組情報部８１は、次に説明する番組名表示部８２で選ばれた特定の番組の詳細情報と、ヘルプメッセージ及びネットワークロゴ（図６では例えばＡＢと表示している）などを表示することができる。このネットワークロゴとは、例えば衛星放送などのネットワーク名あるいは放送事業者の認識表示部あるいは受託放送事業者の認識表示部である。
【００２４】
（２）番組名表示部８２
番組名表示部８２は、局ロゴ８２Ａ、チャンネル番号８２Ｂ、番組タイトル８２Ｃ、放送時間表示バー８２Ｄなどを表示することができる。
【００２５】
図８の放送時間表示バー８２Ｄは、放送時間経過表示部であり、いわゆるバーグラフ表示形式のものである。
【００２６】
（３）チャンネル選択部８３
図６のチャンネル選択部８３は、番組名表示部８２に選択されるチャンネルを決定するボタンを表示している。テレビチャンネル決定ボタン８３Ａは例えばテレビチャンネルを選択でき、その他好みのチャンネルを決定するボタンやラジオチャンネルを選択できるボタンなどを有している。図６の例ではテレビチャンネル決定ボタン８３Ａが、カーソルを位置決めすることによる選択で決定されている。
【００２７】
（４）ジャンル設定部８４
図６のジャンル設定部８４は、現在番組表ＰＰ内の番組を、該当するジャンルでソートして表示するものである。図６の例では、映画のジャンル８４Ａがソートして表示されている。ジャンルを設定したい場合には図３のジャンルキー５Ｉを押す。
【００２８】
（５）現時刻／操作表示部８５
図６の現時刻／操作表示部８５は、キー操作の方法のヘルプガイドや、現在の日時などを表示するようになっている。
このように現在番組表ＰＰは、現在受信している番組８０の上にスーパーインポーズして、しかも受信している番組８０の内容が透かして見えるように表示されている。
【００２９】
特徴的なのは、図６における現在番組表ＰＰにおいては、番組情報部８１において、通信ネットワークを識別するためのロゴ又はタイトルとして、ネットワークロゴ８１Ａが表示されていることである。この通信ネットワークを識別するためのロゴ又はタイトルは、上述したデジタル衛星放送など複数の通信ネットワークの放送を受信できる図１に示す電子機器１０においては、何らかのＧＵＩ画面を表示した時に、現在受信している現在番組表ＰＰにおいて、キャリアー（受託放送事業者）のロゴあるいはタイトルとして、ネットワークロゴ８１Ａが番組情報部８１に表示できるようになっている。このように表示することで、この画面を見るユーザは、ネットワークロゴ８１Ａとして、たとえば（ＡＢ）として表示しているネットワーク名を常に確認することができるので、ユーザが各種操作を行う場合にネットワーク名を確認しながら安心して行うことができる。
【００３０】
次に、図７は、たとえば一週間の間の番組を表す週間番組表ＷＰを示している。この週間番組表ＷＰは、所定期間番組表に相当し、やはり番組情報部８１の所にはネットワークロゴ８１Ａが表示されている。図３の週間番組表キー（ボタン）５Ｇを押すと、図６の現在番組表ＰＰに代えて表示できる。
【００３１】
図８は、番組予約欄２００を示しており、この番組予約欄２００は、画面４Ａに表示されている。この番組予約欄２００は、ユーザが所望する番組を予約する場合の番組予約のための操作を行う欄である。この番組予約欄２００においても、ネットワークロゴ８１Ａが表示されている。
【００３２】
図９は、メニュー欄２５０を示しており、このメニュー欄２５０は画面４Ａに表示されている。メニュー欄２５０は、ネットワークロゴ８１Ａを有している。メニュー欄２５０は、ユーザが操作できるようにするための各種操作項目を表示している。
【００３３】
図１０は、予約番組一覧表３００を示している。この予約番組一覧表３００は画面４Ａに表示されている。予約番組一覧表３００においては、現在受信中の放送事業者のネットワークロゴ８１Ａが表示されている。しかも、予約番組一覧表３００の中には、各番組に対応して、どの番組がどの放送事業者のものかをそれぞれ表す別のネットワークロゴ８１Ｂを表示している。
【００３４】
図１１は、メッセージ欄３５０の具体的な例を示しており、画面４Ａには現在受信している番組８０を表示している。この受信している番組８０に対して、メッセージがスーパーインポーズして表示されている。このメッセージ３６０の中には、やはりネットワークロゴ８１Ａが表示されている。
図１２は、番組内容の詳細を表示する番組内容詳細欄４００の例を示している。この番組内容詳細欄４００は、画面４Ａの受信している番組８０にスーパーインポーズして表示されており、番組内容詳細欄４００は、受信している番組８０にスーパーインポーズして表示されている。この番組内容詳細欄４００の中にも、ネットワークロゴ８１Ａが表示されている。
【００３５】
以上のような具体例で示すように、デジタル衛星放送など複数事業者の放送を受信できる受信機において何らかのＧＵＩ画面を表示したときに、現在受信しているか、または設定しようとしているキャリアー（受託放送事業者）のロゴやタイトルをどの画面においても表示することでユーザ操作に安心感を与えるというもの。
【００３６】
ユーザが操作することによって表示されるＥＰＧや番組詳細、番組予約の画面、そしてメニューなどの各設定画面においても、事業者のロゴ（ネットワークロゴ）を画面の一部に表示する。さらに、受信機が発生するメッセージ表示画面の一部にも、事業者ロゴを表示する。このように、ユーザに現在受信している、あるいは設定しようとしている事業者がどちらであるかを認知させる機会をなるべく多くすることができる。
【００３７】
あるいはその表示画面の内容が複数事業者にまたがっている場合には画面毎ではなく、番組毎の情報の中にそれがどこの事業者のもの（コンテンツ）であるかをロゴなどを用いて表示させる。
ネットワークを切り換えてしばらくしてからでも、何らかのＧＵＩ画面が表示れるごとに事業者ロゴが表示されるので、ユーザに現在受信しているネットワーク（事業者）がどこであるかを認知させる機会を増やすことで、設定などの操作に不安感を軽減することができる。
【００３８】
ユーザが番組の購入予約などで事業者を間違えて設定してしまうなどのミスを軽減することができる。その番組が開始されるまでＩＣカードに「購入」手続きが行われない為、契約していないチャンネルの番組を予約してしまっても、その時点ではミスに気が付かない。そこで、ユーザに判断する機会を多くする為にも事業者のロゴなどで知らせることは大変有効となる。
予約一覧など番組を複数事業者をまたがって表示するような場合にどの番組がどちらの事業者で放送されるものであるかが一目瞭然で認知することができる。
このような項目はユーザの使い勝手の向上につながり、有効と考えられる。
【００３９】
次に、図１３〜図１８を参照して、図１３に示す操作ガイド及びメッセージエリア５００の特徴について説明しておく。
操作ガイド及びメッセージエリア５００は、図１３に示すようにたとえば週間番組表ＷＰの中に表示することができる。この操作ガイド及びメッセージエリア５００は、周囲の表示と同等の表示あるいは表現であると、ユーザから見て視覚的に埋もれてしまい、折角このような操作ガイド及びメッセージエリア５００を表示したとしても、見落としやすい。
操作ガイド及びメッセージエリア５００は、画面４Ａで表示されているＧＵＩ表示方式の放送データなどについてユーザに対して操作を行うためのガイドを表示したりあるいは操作のためのメッセージを表示することができる領域である。このような操作ガイド及びメッセージエリア５００の機能は、図６の現在番組表ＰＰの現時刻／操作表示部８５も行うことができる。
【００４０】
そこで、図１３に示す操作ガイド及びメッセージエリア５００に表示されている内容は、図１４においてＲ方向に順次スクロールしていくようにすると、この操作ガイド及びメッセージエリア５００が他の表示部分に比べて視覚的にアピール度が高く非常に視覚的な確認効果が高い。図１４において、その内容がＲ方向に移動していく例を示しているが、これに限らずその移動方向は左から右や、上から下あるいは下から上などといったように各方向が考えられる。
図１５は、操作ガイド及びメッセージエリア５００における表示内容が部分的に点滅している例を示している。部分点滅、全体点滅あるいは点滅の移動などが考えられる。いずれにしてもユーザが視覚的に認知できるくらいの回数分だけ点滅を繰り返すことになる。
【００４１】
図１６は、操作ガイド及びメッセージエリア５００の表示内容が、全体的に点滅する例を示している。この場合においてもユーザが認知できるくらいの回数を繰り返す。あるいはこのような内容が初めて登場する時のみに点滅してその後静止するなどの形態を取っても効果的である。
【００４２】
図１７は、フェードイン・アウト例を示しており、点滅部分５０１がたとえば赤く光ったりあるいは消えたりすることで、操作ガイド及びメッセージエリア５００におけるメッセージの表示を行うことができる。
この場合に、たとえば現在データを取り込み中においては、その取り込み終了までゆっくりと点滅部分５０１がフェードイン・アウトを繰り返して、終了間際で点滅を早めると認知がしやすい。この点滅部分５０１は、明るい、暗い、明るい、暗いといった点滅パターンやあるいは暗い、明るい、暗い、明るいなどといった点滅パターンなどいろいろその場合に応じて採用することができる。
【００４３】
図１８は、やはりフェードイン・アウト例を示しており、全体的にフェードイン・アウトをする例である。この場合にはやはりユーザが認知できる程度まで繰り返すが、明るい、暗い、明るい、暗いの繰り返しあるいは暗い、明るい、暗い、明るいの繰り返しなどいろいろその時に応じて変えることができる。
【００４４】
図１３に示すように週間番組表ＷＰにおいては、図７と同様にネットワークロゴ８１Ａが表示されているとともに、操作ガイド及びメッセージエリア５００では図１４〜図１８に示したような特殊な表示方式を採用することにより、操作ガイド及びメッセージエリア５００をユーザが確実に視覚的に認知することができる。
【００４５】
映像機器の管面上に表示されるＥＰＧと同一画面上の操作ガイドやメッセージが、周りの表示と同等の表現だと視覚的に埋もれてしまい、せっかくの情報も見落とされやすい。そこで操作ガイドやメッセージを、スクロール、フェードイン・アウト、点滅等させることによりユーザの注目をタイムリーに集めることができ、さらに表示エリア以上の情報を表示でき、視覚的にアピール度が高く非常に効果的である。
映像機器の管面上に表示されるＥＰＧと同一画面上の操作ガイド及び「データ取得中です」等メッセージが、周囲と異なる表現の動的アプローチ（スクロール、フェードイン／アウト、点滅等させる）にすることにより、繁雑なＥＰＧの表示に埋もれてしまいがちな情報が見落とされることなく、リアルタイムにユーザに対し伝達することが可能になる。また図１４に示すようなスクロール方式は『操作ガイド及びメッセージ』表示エリアでは物理的に表示しきれない量のメッセージも時間差によって表示可能になる。
【００４６】
従来、映像機器の管面上に表示されるＥＰＧと同一画面上のメッセージは、周囲に表示されたＥＰＧ情報と表現方法が全く同じであること、さらには周りの繁雑な文字等に埋もれていたことなどから、ユーザはメッセージがそこに現われたことにすら気付くことができなかった。たとえばエラーなのか読み込み中なのかといった現在の状況が、ユーザには非常に分かりにくくストレスさえも感じさせていた。また表示エリアが限られているため、メッセージの表現もかなり簡略化せざるをえなかった。操作ガイドはメッセージと別エリアに固定表示していたため、肝心なＥＰＧ情報スペースを削ることにもなるが、本発明の実施の形態はこのような点を解消している。
【００４７】
映像機器の管面上に表示されるＥＰＧと同一画面上の操作ガイド及び「データ取得中です」等メッセージを、周囲と異なる表現である動的アプローチ（スクロール、フェードイン・アウト、点滅等）にすることにより、ＥＰＧの繁雑な情報に埋もれてしまいがちな情報が見落とされることなく、ユーザに、リアルタイムに伝達することが可能である。したがってＥＰＧ操作中の動きの鈍さによるストレスや疑問点を解決することができた。
またこの方式は既存の表示エリアでは物理的に表示しきれない量のメッセージも時間差によって表示可能になったためユーザに的確で分かりやすいメッセージがさらに多く送れるようになり、ユーザフレンドリー感が増した。
【００４８】
本発明において用いられる放送波は、衛星放送、地上波放送、ケーブルテレビ放送波の内からいずれを選択してもよく特に限定されるものではない。
【００４９】
【発明の効果】
以上説明したように、本発明によれば、どのような放送内容のデータを表示する場合であっても、通信ネットワークを識別するためのロゴ又はタイトルを表示することで、ユーザの操作に安心感を与えることができる。
【図面の簡単な説明】
【図１】本発明の放送事業者の識別表示部の表示装置の好ましい実施の形態を示す斜視図。
【図２】図１の表示装置を示す図。
【図３】リモートコマンダの一例を示す図。
【図４】図１の表示装置の制御手段の一例を示す図。
【図５】図４の制御手段における内部制御コンピュータの構成の一例を示す図。
【図６】ネットワークロゴを表示している現在番組表の一例を示す図。
【図７】ネットワークロゴを表示している週間番組表の一例を示す図。
【図８】ネットワークロゴを表示している番組予約欄の一例を示す図。
【図９】ネットワークロゴを表示しているメニュー欄の一例を示す図。
【図１０】ネットワークロゴを表示している予約番組一覧表の一例を示す図。
【図１１】ネットワークロゴを表示しているメッセージ欄の一例を示す図。
【図１２】ネットワークロゴを表示する番組内容詳細欄の一例を示す図。
【図１３】操作ガイド及びメッセージエリアとネットワークロゴを含む週間番組表の一例を示す図。
【図１４】操作ガイド及びメッセージエリアのスクロールの例を示す図。
【図１５】操作ガイド及びメッセージエリアの点滅例を示す図。
【図１６】操作ガイド及びメッセージエリアの全体的な点滅例を示す図。
【図１７】操作ガイド及びメッセージエリアの部分的なフェードイン・アウト例を示す図。
【図１８】操作ガイド及びメッセージエリアの全体的なフェードイン・アウト例を示す図。
【符号の説明】
４Ａ・・・画面、７０・・・制御手段、８１Ａ・・・ネットワークロゴ（放送事業者の識別表示部）、１００・・・放送事業者の識別表示部の表示装置、２００・・・番組予約欄、２５０・・・メニュー欄、３００・・・予約番組一覧表、３５０・・・メッセージ欄、４００・・・番組内容詳細欄、５００・・・操作ガイド及びメッセージエリア、ＰＰ・・・現在番組表、ＷＰ・・・週間番組表（所定期間番組表）
【図１】
0004140079.tif 000002
【図２】
0004140079.tif 000003
【図３】
0004140079.tif 000004
【図４】
0004140079.tif 000005
【図５】
0004140079.tif 000006
【図６】
0004140079.tif 000007
【図７】
0004140079.tif 000008
【図８】
0004140079.tif 000009
【図９】
0004140079.tif 000010
【図１０】
0004140079.tif 000011
【図１１】
0004140079.tif 000012
【図１２】
0004140079.tif 000013
【図１３】
0004140079.tif 000014
【図１４】
0004140079.tif 000015
【図１５】
0004140079.tif 000016
【図１６】
0004140079.tif 000017
【図１７】
0004140079.tif 000018
【図１８】
0004140079.tif 000019